(57)【要約】【課題】  従来のシャンプーやリンスなどはポンプが付いた物やポンプが付いていないボトルに入れて販売されているか、また、詰め替え用の袋に入れた状態で販売されており、この場合は以前からあるボトルに詰め替えて使用している。  家族の人数が多いとお風呂場には、いろいろなメーカーのいろいろな形のボトルがちらばり、整理するためにはラックなどを利用している。  ボトルをラックに入れて整理している場合は、ラックに置いてある状態では使用出来ず、ラックから取り出してから使用しなければならない。【解決手段】  詰め替え用シャンプーやリンスを入れやすくした大口の注入口があり、ディスペンサーの側面に凹凸をつけて連結することができ、用途に合わせてディスペンサーの数を変えることができる。また、連結したディスペンサーの両端に小物置きを付加連結することができる。【選択図】  図１
2006036355.tif 000002
【特許請求の範囲】
【請求項１】
連結することができることを特徴とするシャンプーボトル
【請求項２】
小物置きを付加連結することを特徴とする請求項１記載のシャンプーボトル
【発明の詳細な説明】
【技術分野】
【０００１】  この発明は、シャンプーなどの液体を入れるシャンプーボトルの形状に関する。
【背景技術】
【０００２】  従来のシャンプーやリンスなどは、図８に示すようなシャンプーボトルにポンプが付いた物やポンプが付いていないシャンプーボトルに入れて販売されており、シャンプーなどが無くなると、ボトルごと買い換えている。最近は、ボトルごと買い換えるのは、不経済であるため、シャンプーやリンスを詰め替え用の袋に入れた状態で販売されており以前からあるシャンプーボトルに詰め替えて使用している。しかし、ボトルの注入口が小さく詰め替えにくくなっている。【０００３】  お風呂場には、いろいろなメーカーのいろいろな形のシャンプーボトルや石鹸がちらばり、掃除がしにくくラックなどを利用して整理している。【０００４】  シャンプーボトルをラックに入れて整理している場合は、ラックに置いてある状態では使用出来ず、ラックから取り出してから使用しなければならない。
【発明の開示】
【発明が解決しようとする課題】
【０００５】  しかしながら、以上の技術によれば、お風呂場にいろいろなメーカーのいろいろな形状のシャンプーボトルが散らばって並び、お風呂場の掃除がしにくくなる。【０００６】  これらのいろいろなシャンプーボトルを整理するためにはラックを用いるが、ラックにシャンプーボトルを置いた場合は、整理は出来るが、使用時にはラックに置いたままでは使用することができず、ラックから取り出して床に置いてから使用することになる。【０００７】  また、ポンプ付きのシャンプーボトルやポンプの付いていないシャンプーボトルは、注入口が小さく、詰め替え用のシャンプーを購入して入れ替える際に詰め替えにくい。【０００８】  そこで、この発明は、詰め替え用シャンプーやリンスなどを入れ替えやすくした大口の注入口があり、シャンプーボトルの側面に凹凸をつけて連結することができ、更に連結したシャンプーボトルの両端に石鹸置きなどの小物置きも一緒に連結することのできるシャンプーボトルを提供することを課題とする。
【課題を解決するための手段】
【０００９】  以上の課題を解決するために、第一発明は、連結することができることを特徴とするシャンプーボトルである。【００１０】  また、第二発明は、小物置きを付加連結することを特徴とするシャンプーボトルである。
【発明の効果】
【００１１】  第一の発明は、連結することでシャンプーボトルきれいに整理することができ、使用目的や用途によって連結する数を変えることができる。【００１２】  第二の発明は、連結したシャンプーボトルの両端に小物置きを付加連結することでいろいろな物を一度に整理できる。
【発明を実施するための最良の形態】
【００１３】  この発明の一実施形態を、図１・図２・図３・図４・図５・図６に示す。【００１４】  図１は１のシャンプーボトル３個・２の左側板・３の右側板を連結し、さらに４の小物置きを左側板に取り付けた状態の平面図・正面図です。【００１５】  図２はシャンプーボトル単体の図面です。Ｃのシャンプーボトルふたを大きくし、詰め替え用のシャンプーなどを注ぎやすくしました。【００１６】  また、シャンプーボトルの側面の左側にａ凸側結合部、右側面にｂ凹側結合部がある。【００１７】  シャンプーボトルを結合させるには、１つを置き、１つを置いたシャンプーボトルの上部からａ凸側結合部とｂ凹側結合部をスライドさせて凹凸をかみ合わせて結合させる。【００１８】  シャンプーボトルを結合させる凹凸結合部の側面が図３のｅの結合部の凹凸の形状になっているので、シャンプーボトル結合後は、左右に引っ張ってもはずれない構造になっている。【００１９】  図４は、図１の連結したシャンプーボトルの左側に取り付ける２の左側板の図面である。
シャンプーボトルの側面の接合部が凸の形状で、この左側板の背面の形状が凹の形状になっているため連結ができる構造になっている。【００２０】  図５は、図１の連結したシャンプーボトルの右側に取り付ける３の右側板の図面である。
シャンプーボトルの側面の接合部が凹の形状で、この右側板の背面の形状が凸の形状になっているため連結ができる構造になっている。【００２１】  図６は、石鹸などの小物を置く図１の４の小物置きの図面です。
この４の小物置きにはｆの小物置き取付突起があり、２の左側板・３の右側板にはｄの小物置き取付穴が複数あり、任意の位置に取付て利用することができる。
【実施形態の効果】
【００２２】
【００２３】  この実施形態によれば、シャンプーボトルを連結することが可能となり、さらに、連結したシャンプーボトルの左右の両端に各側板を取付ことができ、その側板に小物置きを取り付けることができる。
【００２４】  また、シャンプーボトルを希望の数だけ連結することができる。
【００２５】  以上説明したように、この発明によれば、近年、省エネやリサイクルなどが問題視されてから、シャンプーやリンスなどは、シャンプーボトルに入った物と詰め替え用の物と２種類で販売されており、シャンプーボトルに入った物を始めに購入して、無くなると、今まで使っていたシャンプーボトルを捨てて、新しいシャンプーボトルに入った物を購入して使用する。
【００２６】  または、詰め替え用の物を購入して空になったシャンプーボトルに入れて使用している。
【００２７】  この場合、シャンプーの入ったシャンプーボトル・リンスの入ったシャンプーボトルなどいろいろなシャンプーボトルがお風呂場のフロアーに並び、シャンプーボトルの形状が異なり整理しづらくなる。
【００２８】  この実施形態では、シャンプーなどをボトル入りの物を購入しなくて、詰め替え用のものを購入して本実施形態のシャンプーボトルに詰めて変えて使用することになり、シャンプー購入コストを考えても安価になり、省エネにもなる。
【００２９】  また、注ぎ口が大きくなっているため、詰めるときに詰め易い構造となっている。
【００３０】  本実施形態のシャンプーボトルは、連結が可能となっているため、連結して整理し易い構造になっている。
【００３１】  さらに、本実施形態のシャンプーボトルの左右に石鹸や入浴剤などを置くことができる物置きも連結することができる構造になっている。
【００３２】  石鹸置きやシャンプーボトルが一体になるため、風呂場が整理され、風呂場の清掃などもし易くなる。
【他の実施形態】
【００３３】  図２の実施形態では、凹凸がシンプルな形状であったが、他の実施形態では、図７のように凹凸の形状を複雑にしてデザイン的を重視した形状でも良い。
【図面の簡単な説明】
【００３４】
【図１】この発明の一実施形態を示す連結後の正面図・平面図である。
【図２】この発明の一実施形態を示すシャンプーボトルの正面図・平面図・側面図である。
【図３】この発明の一実施形態を示すシャンプーボトル連結部の拡大図である。
【図４】この発明の一実施形態を示す左側板の正面図・平面図・側面図である。
【図５】この発明の一実施形態を示す右側板の正面図・平面図・側面図である。
【図６】この発明の一実施形態を示す小物置きの正面図・平面図・側面図である。
【図７】この発明の他の実施形態を示す拡大図である。
【図８】従来技術を示すシャンプーボトルの正面図・平面図である。
【符号の説明】
【００３５】１  シャンプーボトル                ２  左側板
３  右側板                          ４  小物置き
ａ  凸側結合部                      ｂ  凹側結合部
ｃ  シャンプーボトルふた            ｄ  小物置き取付穴
ｅ  結合部の凹凸                    ｆ  小物置き取付突起
【図１】
2006036355.tif 000003
【図２】
2006036355.tif 000004
【図３】
2006036355.tif 000005
【図４】
2006036355.tif 000006
【図５】
2006036355.tif 000007
【図６】
2006036355.tif 000008
【図７】
2006036355.tif 000009
【図８】
2006036355.tif 000010